(57)【特許請求の範囲】
【請求項１】
内部空間を形成する概略箱型をなし、前記内部空間内にレンズ群を支持し、前記レンズ群の光軸に平行な１つの面が開放し、他の５面が一体に金属板の表裏に層をなすように樹脂を成型して形成されたハウジングと、
前記ハウジングの前記開放した１つの面を封止する蓋体と、
撮像素子を搭載した基板とを有するカメラモジュールであって、
前記ハウジングは、前記撮像素子へ光を通過させる開口を備え、
前記基板は、前記撮像素子が前記開口を通して前記内部空間を望むように、前記ハウジングの外側に取り付けられており、
前記金属板および前記蓋体と共に前記内部空間を取り囲む電磁シールドを形成するシールド手段を備えることを特徴とするカメラモジュール。
【請求項２】
前記基板は、積層基板であり、
前記シールド手段は、前記積層基板の前記撮像素子を配設した層よりも外側の一層であり、
前記ハウジングは、前記金属板を部分的に露出させ、
前記基板は、前記シールド手段を構成する一層と接続され、前記金属板の前記ハウジングから露出した部分に当接するグランドパターンを有することを特徴とする請求項１に記載のカメラモジュール。
【請求項３】
前記シールド手段は、前記基板を覆うように前記ハウジングに取り付けられた導電性材料からなる基板カバーであり、
前記ハウジングは、前記金属板を部分的に露出させ、
前記基板カバーは、前記金属板の前記ハウジングから露出した部分に当接することを特徴とする請求項１に記載のカメラモジュール。
【請求項４】
前記基板カバーは、前記蓋体と一体に形成されていることを特徴とする請求項３に記載のカメラモジュール。
【請求項５】
前記シールド手段は、前記基板を覆うように前記ハウジングに取り付けられた磁性材料からなる基板カバーであり、
前記ハウジングは、前記金属板を部分的に露出させ、
前記基板カバーは、前記金属板の前記ハウジングから露出した部分に当接することを特徴とする請求項１に記載のカメラモジュール。
【請求項６】
前記レンズ群は、前記光軸方向に移動可能なレンズを含むことを特徴とする請求項１から５のいずれかに記載のカメラモジュール。
【請求項７】
前記ハウジングは、前記金属板を部分的に露出させ、
前記蓋体は、導電性材料からなり、前記金属板の前記ハウジングから露出した部分に当接することを特徴とする請求項１から６のいずれかに記載のカメラモジュール。
【請求項８】
前記ハウジングは、部分的に樹脂層がなく、前記金属板をその表面が周囲の樹脂層の表面と略面一になるように張り出させた拡張部を備えることを特徴とする請求項１から７のいずれかに記載のカメラモジュール。
【請求項９】
前記金属板に前記ハウジングの樹脂の層に食い込むリブを形成したことを特徴とする請求項１から８のいずれかに記載のカメラモジュール。
【請求項１０】
前記金属板は、表裏の樹脂層を接続する切欠きまたは開口を有することを特徴とする請求項１から９のいずれかに記載のカメラモジュール。
【請求項１１】
前記開口は、前記ハウジングを成型するモールドの樹脂を注入するゲートの近傍に形成されていることを特徴とする請求項１０に記載のカメラモジュール。
【請求項１２】
前記ハウジングは、前記金属板に形成した開口の内周を前記樹脂で覆った貫通孔を備えることを特徴とする請求項１から１１のいずれかに記載のカメラモジュール。
【請求項１３】
前記貫通孔の外側の樹脂に、前記金属板の外表面を露出させる座ぐりを形成したことを特徴とする請求項１２に記載のカメラモジュール。
【請求項１４】
前記金属板は、前記樹脂を貫通して前記ハウジングの内部に突出し、前記レンズ群の光路を規制する突出部を備えることを特徴とする請求項１から１３のいずれかに記載のカメラモジュール。
【請求項１５】
前記ハウジングは、前記金属板の内表面を露出させる取付孔を備えることを特徴とする請求項１から１４のいずれかに記載のカメラモジュール。
【請求項１６】
前記取付穴には、前記レンズ群の少なくとも一部を前記光軸方向に移動させる駆動機構の構成要素が挿入されていることを特徴とする請求項１５に記載のカメラモジュール。
【請求項１７】
前記レンズ群は、前記ハウジングの開放方向に光軸を屈曲される光学部材を有することを特徴とする請求項１から１６のいずれかに記載のカメラモジュール。
【請求項１８】
請求項１から１７のいずれかに記載のカメラモジュールを有することを特徴とする電子機器。
【請求項１９】
前記ハウジングの開放する方向からの投影面積が最大となる筐体を有することを特徴とする請求項１８に記載の電子機器。
【発明の詳細な説明】
【技術分野】
【０００１】
本発明は、カメラモジュールおよびカメラモジュールを備える電子機器に関する。
【背景技術】
【０００２】
カメラモジュールは、撮像素子や画像信号を処理する電子部品等を有しており、外部からの電磁的な干渉を防ぐためにシールドを施すことが好ましい。
【０００３】
特許文献１には、ハウジング（ケース）をモールド成型する際に、その表面に導電性樹脂層を形成することで、電磁シールド性を付与したカメラモジュールが記載されている。しかしながら、導電性樹脂を使用すると、不用意に短絡するおそれがあり、絶縁部材を設ける必要が生じる。絶縁部材は、カメラモジュールの小型化の妨げとなるとともに、カメラモジュールを高価にするという問題がある。
【０００４】
また、特許文献２には、レンズを含む光学ユニットと撮像素子を含む撮像ユニットとを覆う金属板からなるカバーを撮像ユニットの基板のグランドに接地したカメラモジュールが記載されている。しかしながら、光学ユニットや撮像ユニットをさらに金属カバーで覆うことになるので、カメラモジュールの小型化が難しく、また、カメラモジュールが高価になってしまう。
【０００５】
ハウジング自体を、金属板のプレス加工により形成できればよいが、プレス加工では、十分な加工精度が得られない。特に、ズームやフォーカス機能を有するカメラモジュールは、ハウジングにレンズを案内するガイド軸などを精度よく取り付ける必要があり、ハウジングを寸法精度が期待できる樹脂の射出成型で形成することが求められる。
【０００６】
また、ハウジングには偶発的に衝撃力が加わることがあるため、高い剛性を確保することが求められる。小型かつ高性能を両立する撮像ユニットでは、ハウジングを単一の構造部材で構成し、撮像のための光路以外にも、レンズ群などを組み込むために大きな開口を設ける必要がある場合が多く、ハウジングを大型化することなく剛性を確保することが難しい。
【特許文献１】特開２００３−３１８５８５号公報
【特許文献２】特開２００６−３３２９６号公報
【発明の開示】
【発明が解決しようとする課題】
【０００７】
前記問題点に鑑みて、本発明は、シールド性を有する安価なカメラモジュールを提供することを課題とする。
【課題を解決するための手段】
【０００８】
前記課題を解決するために、本発明によるカメラモジュールは、内部空間を形成する概略箱型をなし、前記内部空間内にレンズ群を支持し、前記レンズ群の光軸に平行な１つの面が開放し、他の５面が一体に金属板の表裏に層をなすように樹脂を成型して形成されたハウジングと、前記ハウジングの前記開放した１つの面を封止する蓋体と、撮像素子を搭載した基板とを有するカメラモジュールであって、前記ハウジングは、前記撮像素子へ光を通過させる開口を備え、前記基板は、前記撮像素子が前記開口を通して前記内部空間を望むように、前記ハウジングの外側に取り付けられており、前記金属板および前記蓋体と共に前記内部空間を取り囲む電磁シールドを形成するシールド手段を備えるものとする。
【０００９】
この構成によれば、金属板をインサートして樹脂成型することで、ハウジングに電磁シールド性と強度とを付与することができる。また、詳細な形状はモールド成型される樹脂によって実現されるので、金属板が加工精度の低いプレス品であってもハウジングの寸法精度が高い。
【００１０】
また、本発明のカメラモジュールにおいて、前記ハウジングは、概略箱型をなし、概略箱型をなし、レンズ群の光軸に平行な１つの面が開放し、他の５面が一体に形成されている。
【００１１】
このため、ハウジングが大きく開口しているので、レンズ群の組み込みが容易である。また、金属板を有するので、ハウジングを薄肉にして大きな開口を設けても十分な強度が得られる。なお、開口を被う部材は、構造部材ではないので高い剛性は不要であるから、薄肉にでき、空間効率を高くできる。さらに、レンズ群の案内軸の両端をハウジングで保持することができ、レンズの偏芯を小さくできる。なお、開放とは、ハウジングの一面が全体的に開放することを要求するものではなく、レンズ群の組み込みが容易にできる程度に開放されていればよい。具体的には、コーナー部や撮像素子側の１／４程度が閉じられたものであっても十分に開放した面といえる。
【００１２】
また、本発明のカメラモジュールにおいて、前記レンズ群は、前記光軸方向に移動可能なレンズを含んでもよい。
【００１３】
特に、レンズ群が可動レンズを含む場合には、ハウジングの一面を開放したことによる作業性の向上が大きい。
【００１４】
また、本発明のカメラモジュールにおいて、前記基板は、積層基板であり、前記シールド手段は、前記積層基板の前記撮像素子を配設した層よりも外側の一層であり、前記ハウジングは、前記金属板を部分的に露出させ、前記基板は、前記撮像素子を配設した層よりも外側の一層を前記金属板に接続するために、前記金属板の前記ハウジングから露出した部分に当接するグランドパターンを有してもよい。
【００１５】
この構成によれば、ハウジング内の金属板を接地することで、電磁遮蔽（シールド）の効果が高くなる。なお、基板は、積層基板であって、最外層の略全面にグランドパターンを設けたものであることが好ましい。
【００１６】
また、本発明のカメラモジュールにおいて、前記ハウジングは、前記金属板を部分的に露出させ、前記蓋体は、導電性材料からなり、前記金属板の前記ハウジングから露出した部分に当接してもよい。
【００１７】
この構成によれば、蓋体によってハウジングの開放部分をシールドできる。
【００１８】
また、本発明のカメラモジュールにおいて、前記シールド手段は、前記基板を覆うように前記ハウジングに取り付けられた導電性材料からなる基板カバーであり、前記ハウジングは、前記金属板を部分的に露出させ、前記基板カバーは、前記金属板の前記ハウジングから露出した部分に当接してもよい。
【００１９】
この構成によれば、基板の外側に電子部品を搭載しても、基板カバーによって遮蔽できるので、電子部品に電磁ノイズが入らない。また、基板カバーは、電子部品から外部へ放射する電磁ノイズも遮蔽できる。なお、基板カバーは、基板をハウジングに固定するための部材を兼ねることもできる。
【００２０】
また、本発明のカメラモジュールにおいて、前記基板カバーは、前記蓋体と一体に形成されてもよい。
【００２１】
この構成によれば、部品点数の削減によりコストダウンできる。
【００２２】
また、本発明のカメラモジュールにおいて、前記シールド手段は、前記基板を覆うように前記ハウジングに取り付けられた磁性材料からなる基板カバーをさらに有し、前記ハウジングは、前記金属板を部分的に露出させ、前記基板カバーは、前記金属板の前記ハウジングから露出した部分に当接してもよい。
【００２３】
この構成によれば、基板の外側に搭載した電子部品に電磁ノイズが入らず、カメラモジュールを電子機器に組み込む際に、基板カバーを被覆しなくても近傍の回路を短絡させることがない。
【００２４】
また、本発明のカメラモジュールにおいて、前記ハウジングは、部分的に樹脂層がなく、前記金属板をその表面が周囲の樹脂層の表面と略面一になるように張り出させた拡張部を備えてもよい。
【００２５】
この構成によれば、金属板は十分な剛性と遮光性とを備えるので、部分的に樹脂の厚み分だけ内部空間を拡張することができ、カメラモジュールの小型化に資する。また、カメラモジュールを組み込む電子機器に小さな凸部があるような場合には、カメラモジュールを大きくすることなく、ハウジングを部分的に凹ませることできる。
【００２６】
また、本発明のカメラモジュールにおいて、前記金属板に前記ハウジングの樹脂の層に食い込むリブを形成してもよい。
【００２７】
この構成によれば、金属板の剛性を高めることができる。リブは樹脂層を分断しないように、樹脂層の厚みより小さいことが好ましい。
【００２８】
また、本発明のカメラモジュールにおいて、前記金属板は、表裏の樹脂層を接続する切欠きまたは開口を有してもよい。
【００２９】
この構成によれば、成型時に樹脂の流れをよくし、樹脂の寸法精度を確保できる。
【００３０】
また、本発明のカメラモジュールにおいて、前記開口は、前記ハウジングを成型するモールドの樹脂を注入するゲートの近傍に形成されてもよい。
【００３１】
この構成によれば、特に、金属板の表裏に十分な樹脂を供給でき、寸法精度が高くなる。
【００３２】
また、本発明のカメラモジュールにおいて、前記ハウジングは、前記金属板に形成した開口の内周を前記樹脂で覆った貫通孔を備えてもよい。
【００３３】
この構成によれば、貫通孔の位置および大きさを樹脂によって正確に再現できる。また、貫通孔部分の金型耐久性が向上する。
【００３４】
また、本発明のカメラモジュールにおいて、前記貫通孔の外側の樹脂に、前記金属板の外表面を露出させる座ぐりを形成してもよい。
【００３５】
この構成によれば、貫通孔をビス孔として使用する場合も、高剛性の金属板でビスの締め付け力を受けるので、特別な補強を必要としない。また、ビスを金属製にすることで、導電接続することもできる。
【００３６】
また、本発明のカメラモジュールにおいて、前記金属板は、前記樹脂を貫通して前記ハウジングの内部に突出し、前記レンズ群の光路を規制する突出部を備えてもよい。
【００３７】
この構成によれば、遮光性に優れる金属板で、光路を規制することができる。
【００３８】
また、本発明のカメラモジュールにおいて、前記ハウジングは、前記金属板の内表面を露出させる取付孔を備えてもよい。
【００３９】
この構成によれば、取付孔に軸状の部材を取り付けることができ、軸方向の力を金属板で受け止めるので、ハウジングを大型化しない。また、金属製の軸部材を金属板に導電接続して接地できるので、軸部材が電磁気的に悪影響を及ぼさない。
【００４０】
また、本発明のカメラモジュールにおいて、前記レンズ群は、前記ハウジングの開放方向に光軸を屈曲される光学部材を有してもよい。
【００４１】
この構成によれば、カメラモジュールを、ハウジングの開放方向（屈曲前の光軸方向）にさらに薄型化できる。
【００４２】
また、本発明による電子機器は、前記いずれかのカメラモジュールを有するものとし、好ましくは、前記ハウジングの開放する方向からの投影面積が最大となる筐体を有してもよい。
【００４３】
この構成によれば、電子機器を薄型化できる。
【発明の効果】
【００４４】
金属板をインサート成型したハウジングを用いることで、寸法精度が高く、シールド性を備える剛性の高いカメラモジュールを安価に提供できる。
【発明を実施するための最良の形態】
【００４５】
これより、本発明の実施形態について、図面を参照しながら説明する。
図１および２に、本発明の第１実施形態のカメラモジュール１を示す。カメラモジュール１は、一面が開放した概略箱型のハウジング２と、ハウジング２の開放部分を封止する蓋体３と、ハウジング２に取り付けられる基板４とからなる。
【００４６】
ハウジング２は、図３に展開図を示す例えば厚み０．３ｍｍ以下の鋼板からなる金属板５を概略箱型にプレス加工し、この金属板５の表裏に樹脂層を射出成型によって形成してなる。ハウジング２は、最も面積が大きい一面が開放した箱型であり、開放した面に平行な光軸Ｘを有するレンズ６，７を含んだレンズ群を収容する内部空間を画定している。ハウジング２は、最も面積の小さい２面の一方に対物レンズ８を保持する開口が形成され、他方にフィルタ９（図１では省略）が取り付けられ、フィルタ９を介して撮像素子１０を望む開口が形成されている。なお、フィルタ９の代わりにレンズが取り付けられていてもよい。
【００４７】
レンズ６，７は、ハウジング２に両端を保持された光軸Ｘに平行な２本の案内軸１１，１２に沿って移動可能な玉枠１３，１４に保持され、アクチュエータ１５，１６（図１では省略）によって位置決めされる。また、レンズ６，７の位置を検出する必要がある場合は、位置検出センサを適宜配設することができる。
【００４８】
撮像素子１０は、ハウジング２に接合される基板４上に、撮像素子１０が生成した信号を処理する電子部品１７とともに搭載されている。なお、基板４には、電子部品１７だけでなく、アクチュエータ１５，１６の駆動用ＩＣや、メモリなどの電子部品を搭載することもできる。
【００４９】
また、カメラモジュール１は、ハウジング２の開放部分を封止する金属板からなる蓋体３を有している。ハウジング２は、外壁に係合突起１８を残すように樹脂層を切り欠いて金属板５を露出させた係合溝１９が形成されている。蓋体３は、係合溝１９に嵌合して金属板５と導電接触しながら、係合突起１８に係止される係合爪２０を有する。
【００５０】
また、金属板５は、基板４が接合される端面に露出し、端面に沿って折り曲げられた当接部２１を有する。基板４は、積層基板であり、一層が当接部２１に当接するグランドパターン２２を形成し、金属板５を基板４を介して接地するようになっている。
【００５１】
こうして、ハウジング２の金属板５と、蓋体３と、基板４のグランドパターン２２とを電気的に接続し、カメラモジュール１の内部への電磁ノイズの進入を防止する電磁シールドを形成することで、撮像素子１０や電子部品１７の誤動作を防止することができる。
【００５２】
また、案内軸１１，１２は、図４に案内軸１１について示すように、一端が、ハウジング２の内壁を突出させたボス２３を有し、金属板５の内側表面を露出させる取付孔２４に挿入され、他端が、金属板５に設けた開口の内周を樹脂で覆った貫通孔２５に挿入されて保持される。案内軸１１，１２は、射出成型によって精度よく形成された樹脂によって保持されるので、レンズ６，７を光軸Ｘに正確に軸合わせするように、玉枠１３，１４を案内する。また、案内軸１１，１２が金属製である場合には、案内軸１１，１２を金属板５に導電接続して接地できるので、案内軸１１，１２がアンテナとして作用し、基板４上の回路に悪影響を及ぼすことを防止できる。なお、取付孔２４には、案内軸１１，１２との嵌合長を増やして、保持精度および強度を確保するためのボス２３が設けられているが、精度や強度が求められない場合には、ボス２３はなくてもよい。
【００５３】
アクチュエータ１５，１６は、例えば、図５に示すアクチュエータ１５のように、フレーム２６に保持されたモータ２７および送りねじ２８からなり、送りねじ２８の回転によって螺合している玉枠１３（１４）を駆動する。フレーム２６は、ハウジング２の内面に設けた突起で位置決めされるとともに、貫通孔２９を貫通するビス３０によってハウジング２に固定される。貫通孔２９の外側には、金属板５を露出させる座ぐり３１が形成されており、ビス３０の頭を受け入れる。これにより、ビス３０の頭がハウジング２の外面から突出しないで済み、射出成型によって精度よく形成された樹脂によってビス３０の位置を正確に定めることができるとともに、金属板５がビス３０の締め付け力を受けるので、樹脂層に過剰な応力が加わらず、樹脂層を肉厚にするなどの補強が不要である。また、アクチュエータ１５をビス３０を介して金属板５に電気的に接続して接地できる利点もある。なお、本実施形態では、モータ２７および送りねじ２８は、フレーム２６に保持されているが、送りねじ２８の軸受け構造として先に説明した取付孔２４を利用してもよく、また、モータ２７を取付孔２４により保持するように構成してもよい。
【００５４】
続いて、図６に、ハウジング２の樹脂層を成型するためのモールド構成を示す。モールドは、樹脂を注入するためのゲート３２を有する固定金型３３と、固定金型３３に接離するように移動可能な可動金型３４と、可動金型３４の可動方向と垂直に引き抜くことができるスライドコア３５とからなる。
【００５５】
可動金型３４は、金属板５の端部の内側に当接するように部分的に張り出した抱きつき部３６を有する。金属板５は、予め、プレス加工により略箱型に形成しておき、金属板５に設けた貫通孔に突起３７が係合することでモールド内に位置決めして挿入されるが、プレス加工において、金属板５の内角が若干９０°より小さくなるようにしておく。これにより、金属板５は、自身の弾性力によって、端部を抱きつき部３６に圧接する。なお、金属板５を挿入しやすいように抱きつき部３６には、金属板５を押し広げる傾斜を設けることが好ましい。金属板５には、抱きつき部３６に当接する部分の近傍に切欠きを設けるなどして、部分的に剛性を弱め、成型後に内部応力による変形が生じないようにするとよい。また、金属板５の可動金型３４の可動方向と直交する面は、固定金型３３および可動金型３４に設けた狭持部３８で挟み込むことで、表裏に樹脂層を形成する空間ができるように位置決めすることができる。なお、狭持部３８の隙間を金属板５の厚みより若干大きくすることで、金型３３，３４の破損を防止することができる。
【００５６】
スライドコア３５は、案内軸１１，１２やビス３０などを取り付ける貫通孔２７や座ぐり３１を形成する。
【００５７】
金属板５は、ゲート３２に対向する位置に開口を設けておき、その表裏に樹脂を導入しやすくすることが望ましい。また、モールドの形状に応じて、金属板５の他の部分にも、樹脂の連絡を可能にする切欠きまたは開口を形成するとよい。このような金属板５の表裏の樹脂層を接続する切欠きまたは開口によって、射出成型時の樹脂の流れをスムーズにし、成型品の寸法精度を向上させることができる。ただし、それらの開口は、金属板５の剛性を損なわないように肉盗みして形成することが好ましい。
【００５８】
このように、金属板５の表裏に樹脂層を形成したハウジング２は、その壁が薄肉であっても、金属板５によって高い剛性を有する。よって、本実施形態のように、薄型のハウジング２の一面を大きく開放して、レンズ群などの組み込みを容易にすることができる。
【００５９】
さらに、図７および８に、本発明の第２実施形態のカメラモジュール１を示す。本実施形態において、第１実施形態と同じ構成要素には、同じ符号を付して説明を省略する。
【００６０】
本実施形態のカメラモジュール１は、対物レンズ８が光軸Ｘをハウジング２の開放方向に屈曲させる光学部材（プリズム）を兼ねている。
【００６１】
このカメラモジュール１は、基板４の裏面（カメラモジュール１の外側）にも電子部品１７が搭載されている。基板４は、蓋体３と一体に形成された金属製の基板カバー４１に覆われ、ハウジング２に押圧して保持されている。基板カバー４１は、ハウジング２の金属板５に導電接触している。基板カバー４１は、基板４の裏面に搭載した電子部品１７へのノイズ進入および電子部品１７からの外部へのノイズ伝播を防止する電磁シールドを形成する。
【００６２】
この基板カバー４１は、磁性材料により、蓋体３と別体に形成してもよい。その場合、基板カバー４１が絶縁性を有するので、カメラモジュール１を組み込んだ電子機器の、基板４に接続される回路をショートさせる心配がない。
【００６３】
また、金属板５は、端部を折り曲げてハウジング２の樹脂層に食い込むリブ４２が形成されている。これにより、ハウジングの剛性をより高めることができる。なお、金属板５の平面部分の中央付近にリブ４２を設ける場合は、強度およびシールド効果を損なわないように、プレス打ち出し形状にすることが望ましい。
【００６４】
また、本実施形態のカメラモジュール１は、ハウジング２のレンズ６を保持する玉枠１３に近接する部分に、樹脂層をなくし、金属板５を、その外表面が周囲の樹脂層の外表面と略面一になるように張り出させた拡張部４３を有する。金属板５は、剛性と遮光性とを備えるので、レンズ群を収容する鏡胴として求められる特性を損なうことなく、ハウジング２の内部空間を部分的に拡張している。これにより、玉枠１３とハウジング２との干渉を避けながら、ハウジング２の厚みを小さくすることを可能にしている。
【００６５】
また、ハウジング２は、金属板５の一部を樹脂層を貫通して内部空間に突出させた突出部４４を有する。突出部４４は、レンズ６とレンズ７との間で光路の片側を規制している。このように、ハウジング２を構成する薄い金属板５により光路を規制することで、カメラモジュール１が光軸Ｘ方向に長くならない。
【００６６】
以上の第１実施形態および第２実施形態のカメラモジュール１は、特に、ハウジング１の開放方向の厚みを小さくできる。よって、これらのカメラモジュール１を組み込む電子機器は、ハウジング１の開放方向の投影面積が最大となるような薄型の筐体を有するものとすることができる。
【００６７】
例えば、図９に、前記第２実施形態のカメラモジュール１を組み込んだ携帯電話５０を示す。このように、本発明は、薄型の携帯電話などの電子機器に光学ズームやオートフォーカスなどの高度な機能を備えるカメラモジュールを搭載することを可能にする。
【図面の簡単な説明】
【００６８】
【図１】本発明の第１実施形態のカメラモジュールの分解斜視図。
【図２】図１のカメラモジュールの断面図。
【図３】図１のカメラモジュールの金属板の展開図。
【図４】図１のカメラモジュールの案内軸の取付を示す部分拡大断面図。
【図５】図１のカメラモジュールのアクチュエータの取付を示す部分拡大断面図。
【図６】図１のカメラモジュールのハウジングを成型するためのモールドの構成図。
【図７】本発明の第２実施形態のカメラモジュールの部分断面正面図。
【図８】図７のカメラモジュールの側方断面図。
【図９】図７のカメラモジュールを有する携帯電話の正面図および背面図。
【符号の説明】
【００６９】
１  カメラモジュール
２  ハウジング
３  蓋体
４  基板
５  金属板
６，７  レンズ
８  対物レンズ
１０  撮像素子
１１，１２  案内軸
１７  電子部品
１９  係合溝（露出部分）
２１  当接部（露出部分）
２２  グランドパターン
２３  ボス
２４  取付孔
２５  貫通孔
２９  貫通孔
３０  ビス
３１  座ぐり
３２  ゲート
３３  固定金型
３４  可動金型
３５  スライドコア
３６  抱きつき部
４１  基板カバー
４２  リブ
４３  拡張部
４４  突出部
５０  携帯電話（電子機器）
【図１】
0004900118.tif 000002
【図２】
0004900118.tif 000003
【図３】
0004900118.tif 000004
【図４】
0004900118.tif 000005
【図５】
0004900118.tif 000006
【図６】
0004900118.tif 000007
【図７】
0004900118.tif 000008
【図８】
0004900118.tif 000009
【図９】
0004900118.tif 000010